(57)【特許請求の範囲】
【請求項１】
建物の外壁より突出するコンクリート製の床部と、上記床部の端部より立上ったコンクリート製の手摺壁とからなるバルコニーの適所に設けられるひび割れ誘発構造であって、
上記手摺壁の上端から下端にわたり壁厚方向に貫通していると共に、下部の貫通幅が下端に近づくにしたがって徐々に狭くなっているV字型のスリットと、
上記スリットの下端から上記床部の端部を経て床部の下面にまで連続して設けられた断面矩形の切欠き部と
を備え、
上記スリットの下端の幅は、上記切欠き部と同じ幅に形成されていることを特徴とするひび割れ誘発構造。
【請求項２】
請求項１のひび割れ誘発構造において、上記スリットは、上部が一定の貫通幅を有すると共に、下部がV字型に形成されてなり、このスリットの下端は、スリットにおいて最も鋭い角部を形成している一方、上記スリットの上部と下部とは、鈍角をなして接続していることを特徴とするひび割れ誘発構造。
【発明の詳細な説明】
【０００１】
【発明の属する技術分野】
この発明は、建物の外壁から突出するコンクリート製の床部とコンクリート製の手摺壁とからなるバルコニーに設けるひび割れ誘発構造に関する。
【０００２】
【従来の技術】
従来、建物のコンクリート製のバルコニーに設けるひび割れ誘発構造としては、図３（ａ），（ｂ）に示すようなものがある。図３（ａ）はバルコニーの正面図であり、図３（ｂ）はバルコニーの断面図である。このバルコニー５１は、建物の外壁５２より突出する床部５３と、この床部５３の端部より立上った手摺壁５４とからなり、上記床部５３の上面端部に、上記手摺壁５４に沿う側溝５５を備えている。このバルコニー５１は、上記手摺壁５４の内側面と外側面との両面に、切欠き５８，５９を設けると共に、上記床部５３の上面と下面との両面に、切欠き６１，６２を設けている。この切欠き５８，５９，６１，６２で上記バルコニー５１の断面積を減少させて、ひび割れを生じさせる応力を上記切欠き５８，５９，６１，６２に集中させてひび割れを誘発して、ひび割れが他の場所に現れないようにしている。なお、これらの切欠き５８，５９，６１，６２の深さは、切欠きを設けない部分の壁厚および床厚に比べ、切欠き５８，５９，６１，６２の欠損率が、略１／５になるように設定している。そうすると、このバルコニー５１に生じるひび割れの７０％以上をこの切欠き５８，５９，６１，６２に集中させることができる。（日本建築学会発行鉄筋コンクリート造のひび割れ対策（設計・施工）指針・同解説）
しかし、上記従来のひび割れ誘発構造において、バルコニー５１に設けた切欠き５８，５９，６１，６２は、床部５３および手摺壁５４を貫通していなくて、上記バルコニー５１に生じるひび割れの７０％以上を生じさせるのみであるから、バルコニー５１の上記切欠き５８，５９，６１，６２以外の部分にもひび割れが生じて、バルコニー５１の意匠が悪くなるという問題がある。
【０００３】
そこで、この問題を解決するため、最近、図４（ａ），（ｂ）に示すひび割れ誘発構造が提案された。図４（ａ）は、このひび割れ誘発構造を設けたバルコニーの正面図であり、図４（ｂ）はバルコニーの断面図である。図３（ａ），（ｂ）に示したバルコニーと同一の構成部分には同一の参照番号を付して、詳細な説明を省く。このバルコニー５１は、手摺壁５４に、図３に示した従来のひび割れ誘発構造の切欠き５８，５９の代わりに、壁厚方向に貫通する縦長矩形のスリット６５を設けている。さらに、このスリット６５の下端中央から下方に延びて床部５３の下端に達する切欠き６６を、手摺壁５４の外側面に設けている。
【０００４】
上記構成のひび割れ誘発構造は、上記スリット６５が手摺壁５４を貫通して分離することによって、手摺壁５４にひび割れを生じないようにすると共に、このスリット６５に切欠き６６を接続して、この切欠き６６にひび割れが集中するようにしている。
【０００５】
【発明が解決しようとする課題】
しかしながら、上記ひび割れ誘発構造において、スリット６５は貫通幅がスリット６５の下端で急激に変化して、上記スリット６５の貫通幅より非常に狭い幅を有する切欠き６６に接続する。そうすると、ひび割れを生じさせる応力は、上記切欠き６６には集中しないで上記スリット６５の角部６７に集中して、この角部６７からひび割れ６９が生じて意匠が悪くなるという問題がある。
【０００６】
そこで、この発明の目的は、スリットの下端から切欠き以外の部分にひび割れが生じることを極めて少なく、あるいは防止できるひび割れ誘発構造を提供することにある。
【０００７】
【課題を解決するための手段】
上記目的を達成するため、請求項１の発明のひび割れ誘発構造は、建物の外壁より突出するコンクリート製の床部と、上記床部の端部より立上ったコンクリート製の手摺壁とからなるバルコニーの適所に設けられるひび割れ誘発構造であって、
上記手摺壁の上端から下端にわたり壁厚方向に貫通していると共に、下部の貫通幅が下端に近づくにしたがって徐々に狭くなっているV字型のスリットと、
上記スリットの下端から上記床部の端部を経て床部の下面にまで連続して設けられた断面矩形の切欠き部と
を備え、
上記スリットの下端の幅は、上記切欠き部と同じ幅に形成されていることを特徴としている。
【０００８】
この発明のひび割れ誘発構造によれば、上記手摺壁に設けたスリットは、スリットの下部の貫通幅がスリットの下端に向って徐々に狭まって、このスリットの下端が上記切欠きと接続する。すなわち、上記スリットの下部が下端に向けて徐々に幅が狭まり、スリットの下端と切欠きとの間の接続部において、急激に幅が変化しないから、ひび割れが切欠き以外のところに生じにくい。つまり、スリットの下端と切欠きが、幅が大きく変化することなく接続しているから、上記応力は確実に上記スリットの下端に集まって、スリットの下端に接続した切欠きに沿って、ひび割れが生じる。したがって、このひび割れ誘発構造は、上記バルコニーの切欠き以外の部分にひび割れが生じることを少なくでき、あるいは防止できる。
【０００９】
請求項２の発明のひび割れ誘発構造は、請求項１のひび割れ誘発構造において、上記スリットは、上部が一定の貫通幅を有すると共に、下部がV字型に形成されてなり、このスリットの下端は、スリットにおいて最も鋭い角部を形成している一方、上記スリットの上部と下部とは、鈍角をなして接続していることを特徴としている。
【００１０】
この発明のひび割れ誘発構造によれば、上記手摺壁に設けたスリットは、スリットの下部をV字型に形成して、このV字型のスリットの下端を上記切欠きに接続している。すなわち、上記スリットの下端に鋭角の角部を形成すると共に、この角部に上記切欠きを接続しているので、確実に上記スリットの下端に応力が集中して、上記切欠きに沿ってひび割れが生じる。したがって、このひび割れ誘発構造は、上記バルコニーの切欠き以外の部分にひび割れが極めて生じにくくする。
【００１３】
【発明の実施の形態】
以下、この発明を図示の実施形態により詳細に説明する。
【００１４】
図１（ａ）は、この発明によるひび割れ誘発構造を設けたコンクリート製のバルコニーの正面図であり、図（ｂ）は、このバルコニーの断面図である。上記バルコニー１は、建物の外壁２から水平方向に突出する床部３と、この床部３の端部から鉛直上向きに立上る手摺壁４とからなり、上記床部３の上面端部に、手摺壁４の下端に沿って側溝５を備えている。上記ひび割れ誘発構造は、上記バルコニー１の手摺壁４を壁厚方向に貫通するスリット８と、このスリット８の下端に接続する切欠き９とからなる。上記スリット８は、上記手摺壁４の上端で所定の幅を有すると共に、スリット８の下端側に向うにしたがって一定の割合で狭くなって、このスリット８の下端１０で上記切欠き９と同じ幅になっている。この切欠き９は、上記スリット８の下端１０から下方に向って延びて、上記手摺壁４の下端を越して、この手摺壁４の下端に接続する床部３の端部下端まで真っ直ぐに延びている。上記床部３の端部下端に達した切欠き９は、床部３の底面に設けた切欠き１３に接続している。また、上記床部３の上面には切欠き１４を設けている。
【００１５】
上記構成のひび割れ誘発構造において、バルコニー１の切欠きにひび割れが生じる様子を以下に説明する。
【００１６】
上記コンクリート製のバルコニー１を施工した後、コンクリートが乾燥するにしたがって、バルコニー１に応力が生じる。この応力が集中する部分に、ひび割れが生じる。上記バルコニー１の手摺壁４はスリット８で分離されているので、手摺壁４には上記応力は集中しない。また、上記スリット８は、貫通幅をスリット８の下端に向って徐々に狭くして、スリット８を形成する左右両側部には角部がないので、上記スリット８の左右両側部には上記応力は集中しない。一方、上記スリット８の下端１０は、上記スリット８を形成する左右両側部が互いに接続して鋭角部分をなしている。また、このスリット８の下端１０に接続する切欠き９がバルコニー１の断面積を少なくしているので、このスリット８の下端１０に確実に上記応力が集中する。したがって、上記スリット８の下端１０から上記切欠き９に沿って、確実にひび割れが生じる。すなわち、このひび割れ誘発構造は、確実に上記切欠き９に沿ってひび割れを生じさせるので、この切欠き９以外のバルコニー１にひび割れが生じることを防止できる。
【００１７】
上記実施形態は、バルコニー１の床部３の上面にも切欠き１４を設けたが、この切欠き１４は無くてもよい。
【００１８】
上記実施形態は、スリット８の上端から下端１０に亘って貫通幅を徐々に狭くしているが、貫通幅を徐々に狭くする部分は、スリット８の下部のみでもよい。
【００１９】
この発明の他の実施形態を、図２（ａ）に示す。図２（ａ），（ｂ）は夫々異なるひび割れ誘発構造を設けたバルコニーの正面図である。図１（ａ），（ｂ）に示したひび割れ誘発構造を設けたバルコニーと同一の機能を有する部分は、同一の参照番号を付して、詳細な説明を省略する。
【００２０】
図２（ａ）のひび割れ誘発構造のスリット８は、上部が一定の貫通幅を有すると共に、下部がＶ字型に形成されている。このスリット８の下端はスリット８において最も鋭い角部を形成している。上記スリット８の下端に接続する切欠き９は下方に延びて、バルコニー１の床部３の端部下端にまで達する。この切欠き９は、図示しない上記床部３の底面の切欠きに接続して、この床部３の底面の切欠きは、図示しない建物と上記床部３との接続部分にまで延びている。
【００２１】
このバルコニー１に、ひび割れを生じさせる応力が作用すると、上記バルコニー１の手摺壁４はスリット８で分離されているので、手摺壁４には上記応力は集中しない。また、上記スリット８の上部と下部とは、鈍角をなして接続しているので、このスリット８の上部と下部との接続部には上記応力は集中しにくい。一方、上記スリット８の下端１０は、上記スリット８において最も鋭い角部分であるので、上記応力を最も集中させやすい。また、このスリット８の下端１０に接続する切欠き９がバルコニー１の断面積を少なくしているので、このスリット８の下端１０に確実に上記応力が集中する。したがって、上記スリット８の下端１０から上記切欠き９に沿って、確実にひび割れが生じる。すなわち、このひび割れ誘発構造は、確実に上記切欠き９に沿ってひび割れを生じさせるので、この切欠き９以外のバルコニー１にひび割れが生じることを防止できる。
【００２２】
図２（ｂ）の比較例としてのひび割れ誘発構造は、図２（ａ）に示したひび割れ誘発構造において、スリットの下部がＵ字型に形成されている点のみが、図２（ａ）のひび割れ誘発構造と異なる。すなわち、スリット８を一定の貫通幅を有する上部と、Ｕ字型の下部とで形成して、スリット８にひび割れを生じさせる応力が集中する角部を形成しないようにしている。
【００２３】
このバルコニー１に、上記ひび割れを生じさせる応力が作用すると、スリット８で分離された手摺壁４には上記応力は集中しない。また、上記スリット８は、直線と弧とで形成して、上記応力が集中する角部がないので、このスリット８には上記応力が集中しにくい。一方、上記スリット８の下端１０に切欠き９を接続して、バルコニー１の断面積を少なくしているので、このスリット８の下端１０のみに上記応力が集中する。したがって、上記スリット８の下端１０から上記切欠き９に沿って、確実にひび割れが生じる。すなわち、このひび割れ誘発構造は、確実に上記切欠き９に沿ってひび割れを生じさせるので、この切欠き９以外のバルコニー１にひび割れが生じることを防止できる。
【００２４】
なお、スリットと切欠き部とは連続的に滑らかに接続すると、ひび割れを切欠き部に集中させる上で最も効果的であるが、スリットの下端部を徐々に狭くして、切欠き部に連結しさえすれば、連結部が滑らかに変化していなくても、ひび割れを集中させる効果がある。
【００２５】
【発明の効果】
以上より明らかなように、請求項１の発明のひび割れ誘発構造は、コンクリート製のバルコニーの手摺壁に設けたスリットを、下部の貫通幅をスリットの下端に向って徐々に狭くして、このスリットの下端に、上記床部の端部および下面に連続する切欠きを接続しているので、上記スリットの下端と切欠きとが、幅が急激に変化しないで接続して、確実に応力を上記スリットの下端に集めてひび割れを上記切欠きに沿って生じさせることができる。したがって、上記バルコニーの切欠き以外の部分にひび割れが生じることを確実に防止することができる。
【００２６】
請求項２の発明のひび割れ誘発構造は、請求項１のひび割れ誘発構造において、上記スリットの下部をV字型にして、このV字型のスリットの下端を切欠きに接続しているので、スリットの下端を鋭角の角部にして、確実に応力を上記スリットの下端に集めて、ひび割れを上記切欠きに沿って生じさせることができる。したがって、上記バルコニーの切欠き以外の部分にひび割れが生じることを防止することができる。
【図面の簡単な説明】
【図１】（ａ），（ｂ）  この発明の実施形態のひび割れ誘発構造を設けたバルコニーを示す正面図および断面図である。
【図２】（ａ）  この発明の他の実施形態のひび割れ誘発構造を設けたバルコニーを示す正面図であり、（ｂ）  比較例としてのひび割れ誘発構造を設けたバルコニーを示す正面図である。
【図３】  従来のひび割れ誘発構造を設けたバルコニーを示す正面図および断面図である。
【図４】  図３に示したひび割れ誘発構造の問題を解決するひび割れ誘発構造を設けたバルコニーを示す正面図および断面図である。
【図５】  図４に示したひび割れ誘発構造が有する問題を示したバルコニーの正面図である。
【符号の説明】
１  バルコニー
２  建物の外壁
３  床部
４  手摺壁
５  側溝
８  スリット
９  切欠き
１０  下端
１３  切欠き
１４  切欠き
【図１】
0004130046.tif 000002
【図２】
0004130046.tif 000003
【図３】
0004130046.tif 000004
【図４】
0004130046.tif 000005
【図５】
0004130046.tif 000006